(57)【特許請求の範囲】
【請求項１】
物体側より順に、負の屈折力の第１レンズ群Ｇ１、正の屈折力の第２レンズ群Ｇ２からなり、
前記第１レンズ群Ｇ１は、負の屈折力の第１Ａレンズ群Ｇ１Ａ、負の屈折力の第１Ｂレンズ群Ｇ１Ｂで構成され、
さらに、前記第１Ａレンズ群Ｇ１Ａは、物体側から順に、負メニスカスレンズの第１レンズＬ１、少なくとも１面に非球面を有する負メニスカスレンズの第２レンズＬ２で構成され、
前記第１Ｂレンズ群Ｇ１Ｂは、最も物体側に少なくとも１面に非球面を有する負メニスカスレンズＬ３を有し、
フォーカシングの際、前記第１Ｂレンズ群Ｇ１Ｂを物体側に移動させ、
前記第２レンズ群Ｇ２は、最も像側に少なくとも１面に非球面を有する正の単レンズＬ２ａｓｐを有し、
以下の条件を満足することを特徴とする超広角レンズ系。
（１）３．４＜｜ｆ１Ａ／ｆｗ｜＜６．０
（２）０．５＜｜ｆ１Ｂ／ｆ１Ａ｜＜３．０
（３）２．０＜ｆ２／ｆｗ＜５．０
（４）１．０＜ｆ２ａｓｐ／ｆ２＜５．０
但し、
ｆｗ：レンズ全系の焦点距離、又は、広角端におけるレンズ全系の焦点距離
ｆ１Ａ：第１Ａレンズ群Ｇ１Ａの焦点距離
ｆ１Ｂ：第１Ｂレンズ群Ｇ１Ｂの焦点距離
ｆ２：第２レンズ群Ｇ２の焦点距離、又は、広角端における第２レンズ群Ｇ２の焦点距離
ｆ２ａｓｐ：第２レンズ群Ｇ２内の少なくとも１面に非球面を有する正の単レンズＬ２ａｓｐの焦点距離
【請求項２】
前記第２レンズ群Ｇ２は、第２Ａレンズ群Ｇ２Ａ、第２Ｂレンズ群Ｇ２Ｂで構成され、
広角端側から望遠端側へのズーミングの際、前記第１レンズ群Ｇ１と前記第２Ａレンズ群Ｇ２Ａとの間隔が減少し、前記第２Ａレンズ群Ｇ２Ａと前記第２Ｂレンズ群Ｇ２Ｂとの間隔が増加することを特徴とする請求項１に記載の超広角レンズ系。
【請求項３】
以下の条件を満足することを特徴とする請求項２に記載の超広角レンズ系。
（５）２．０＜ｆ２Ａ／ｆｗ＜５．０
（６）１０．０＜｜ｆ２Ｂ／ｆｗ｜
但し、
ｆｗ：広角端におけるレンズ全系の焦点距離
ｆ２Ａ：第２Ａレンズ群Ｇ２Ａの焦点距離
ｆ２Ｂ：第２Ｂレンズ群Ｇ２Ｂの焦点距離
【請求項４】
前記第２Ａレンズ群Ｇ２Ａが絞りユニットを挟んだ前側の第２Ａレンズ群前群Ｇ２ＡＦ、後側の第２Ａレンズ群後群Ｇ２ＡＲに分かれ、
以下の条件を満足することを特徴とする請求項２又は請求項３に記載の超広角レンズ系。
（７）２．５＜｜ｆ２ＡＦ／ｆ１｜＜５．０
（８）２．０＜｜ｆ２ＡＲ／ｆｗ｜＜５．０
但し、
ｆｗ：広角端におけるレンズ全系の焦点距離
ｆ１：第１レンズ群Ｇ１の焦点距離
ｆ２ＡＦ：第２Ａレンズ群前群Ｇ２ＡＦの焦点距離
ｆ２ＡＲ：第２Ａレンズ群後群Ｇ２ＡＲの焦点距離
【請求項５】
前記第２Ｂレンズ群Ｇ２Ｂは、少なくとも１枚の負レンズと少なくとも１枚の正レンズからなる接合負レンズユニットＬ２ＢＪｏｉｎを有し、
以下の条件を満足することを特徴とする請求項２乃至請求項４のいずれかに記載の超広角レンズ系。
（９）−１５．０＜ｆ２ＢＪｏｉｎ／ｆｗ＜−２．０
但し、
ｆｗ：広角端におけるレンズ全系の焦点距離
ｆ２ＢＪ：第２Ｂレンズ群Ｇ２Ｂ内の接合負レンズユニットＬ２ＢＪｏｉｎの焦点距離
【請求項６】
以下の条件を満足することを特徴とする請求項２乃至請求項５のいずれかに記載の超広角レンズ系。
（１０）Ｎｄ２ＢＮ＞１．８
（１１）Ｖｄ２ＢＰ＞８０
但し、
Ｎｄ２ＢＮ：接合負レンズユニットＬ２ＢＪｏｉｎ内における少なくとも１枚の負レンズの屈折率
Ｖｄ２ＢＰ：接合負レンズユニットＬ２ＢＪｏｉｎ内における少なくとも１枚の正レンズのアッベ数
【発明の詳細な説明】
【技術分野】
【０００１】
本発明は、デジタルカメラ、銀塩カメラ、ビデオカメラ等に用いられるレンズに関するもので、撮影画角が１２０°を超える超広角レンズ系でありながら、バックフォーカスが長く、イメージサークルが大きな３５ｍｍフォーマットの交換レンズに適した、フォーカシングによる収差変動が少なく、高性能なインナーフォーカス方式を採用する広角端側の開放Ｆ値がＦ２．８程度に適応可能な超広角レンズ系に関するものである。
【背景技術】
【０００２】
従来、画角が１２０°を超える超広角レンズ系が、例えば以下の特許文献等に記載されている。
【０００３】
特許文献１には、画角が１２０°を超える広角レンズが開示されている。
【０００４】
特許文献２、特許文献３には、インナーフォーカスを採用し、画角が１２０°超える超広角レンズ系が開示されている。
【先行技術文献】
【特許文献】
【０００５】
【特許文献１】特開２００１−１２４９８５号公報
【０００６】
【特許文献２】特開２００５−１０６８７８号公報
【０００７】
【特許文献３】特願２０１０−０９３９１３号（未公開）
【発明の概要】
【発明が解決しようとする課題】
【０００８】
特許文献１に記載された広角レンズは、そもそも一眼レフタイプのカメラのレンズ系として適応させるにはバックフォーカスが短すぎるという問題があった。
【０００９】
特許文献２に記載された超広角レンズ系は、開放Ｆ値が４．５程度の比較的小口径な光学系に適応されるものであった。
【００１０】
しかしながら、特許文献２に記載された超広角レンズ系では、入射角が大きくなる第１レンズ群に大口径の非球面レンズを採用しておらず、周辺性能の収差補正が困難であることから、Ｆ値を明るくすることが出来なかった。
【００１１】
さらに、第４レンズ群の偏芯敏感度が大きく、第４レンズ群のレンズ径をアップすることが困難であることから、開放Ｆ値を明るく出来ないという問題があった。
【００１２】
また、特許文献２に記載された超広角レンズ系では、第４レンズ群等の偏芯敏感度が大きく、鏡枠の組み立てが容易ではないという問題があった。
【００１３】
また、特許文献２に記載の超広角レンズ系は超広角ズームレンズであり、広角端側において、画面周辺での性能低下を小さくすることとしているため、超広角レンズ系で一般的に問題となる倍率色収差の補正を行うことを重視した結果、軸上色収差の補正が不十分であるという問題が残存していた。
【００１４】
特許文献３は、同様に画角が１２０°を超える超広角レンズ系であり、レンズ系が全体としてコンパクトであり、フォーカシングによる収差変動が少ないことを特徴としていた。
【００１５】
この発明はもちろんイメージサークルが大きな３５ｍｍフォーマットの交換レンズにも適応可能ではあるが、ＡＰＳ−Ｃフォーマットにおいて高性能でありながらコンパクト化することも目的としていた。
【００１６】
また、第１Ａレンズ群と第１Ｂレンズ群の焦点距離の比を適切にコントロールすることで、全長をコンパクト化しつつフォーカシングによる収差変動が少なく、撮影距離が短い光学系を実現していたが、イメージサークルが大きな３５ｍｍフォーマットの交換レンズに適用する場合、例えば画角が１２０°を超えるような大幅な広画角化を実現する際には、十分に高性能化をすることが困難であった。
【００１７】
本発明は、上記課題を解決し、撮影画角が１２０°を超える超広角レンズ系でありながら、バックフォーカスが長く、イメージサークルが大きな３５ｍｍフォーマットの交換レンズに適した、フォーカシングによる収差変動が少なく、高性能な、インナーフォーカス方式を採用する広角端側の開放Ｆ値がＦ２．８程度に適応可能な超広角レンズ系を提供することを目的とする。
【課題を解決するための手段】
【００１８】
上記目的を達成するために、本発明を実施の超広角レンズ系は、物体側より順に、負の屈折力の第１レンズ群Ｇ１、正の屈折力の第２レンズ群Ｇ２からなり、第１レンズ群Ｇ１は、負の屈折力の第１Ａレンズ群Ｇ１Ａ、負の屈折力の第１Ｂレンズ群Ｇ１Ｂで構成され、さらに、第１Ａレンズ群Ｇ１Ａは、物体側から順に、負メニスカスレンズの第１レンズＬ１、少なくとも１面に非球面を有する負メニスカスレンズの第２レンズＬ２で構成され、第１Ｂレンズ群Ｇ１Ｂは、最も物体側に少なくとも１面に非球面を有する負メニスカスレンズＬ３を有し、フォーカシングの際、第１Ｂレンズ群Ｇ１Ｂを物体側に移動させ、第２レンズ群Ｇ２は、最も像側に少なくとも１面に非球面を有する正の単レンズＬ２ａｓｐを有し、以下の条件を満足することを特徴とする。
（１）３．４＜｜ｆ１Ａ／ｆｗ｜＜６．０
（２）０．５＜｜ｆ１Ｂ／ｆ１Ａ｜＜３．０
（３）２．０＜ｆ２／ｆｗ＜５．０
（４）１．０＜ｆ２ａｓｐ／ｆ２＜５．０
但し、
ｆｗ：レンズ全系の焦点距離、又は、広角端におけるレンズ全系の焦点距離
ｆ１Ａ：第１Ａレンズ群Ｇ１Ａの焦点距離
ｆ１Ｂ：第１Ｂレンズ群Ｇ１Ｂの焦点距離
ｆ２：第２レンズ群Ｇ２の焦点距離、又は、広角端における第２レンズ群Ｇ２の焦点距離
ｆ２ａｓｐ：第２レンズ群Ｇ２内の少なくとも１面に非球面を有する正の単レンズＬ２ａｓｐの焦点距離  
【００１９】
さらに本発明を実施の超広角レンズ系は、上記発明において、第２レンズ群Ｇ２が、第２Ａレンズ群Ｇ２Ａ、第２Ｂレンズ群Ｇ２Ｂで構成され、広角端側から望遠端側へのズーミングの際、第１レンズ群Ｇ１と第２Ａレンズ群Ｇ２Ａとの間隔が減少し、第２Ａレンズ群Ｇ２Ａと第２Ｂレンズ群Ｇ２Ｂとの間隔が増加することを特徴とする。
【００２０】
さらに本発明を実施の超広角レンズ系は、上記発明において、以下の条件を満足することを特徴とする。
（５）２．０＜ｆ２Ａ／ｆｗ＜５．０
（６）１０．０＜｜ｆ２Ｂ／ｆｗ｜
但し、
ｆｗ：広角端におけるレンズ全系の焦点距離
ｆ２Ａ：第２Ａレンズ群Ｇ２Ａの焦点距離
ｆ２Ｂ：第２Ｂレンズ群Ｇ２Ｂの焦点距離
【００２１】
さらに本発明を実施の超広角レンズ系は、上記発明において、第２Ａレンズ群Ｇ２Ａが絞りユニットを挟んだ前側の第２Ａレンズ群前群Ｇ２ＡＦ、後側の第２Ａレンズ群後群Ｇ２ＡＲに分かれ、以下の条件を満足することを特徴とする。
（７）２．５＜｜ｆ２ＡＦ／ｆ１｜＜５．０
（８）２．０＜｜ｆ２ＡＲ／ｆｗ｜＜５．０
但し、
ｆｗ：広角端におけるレンズ全系の焦点距離
ｆ１：第１レンズ群Ｇ１の焦点距離
ｆ２ＡＦ：第２Ａレンズ群前群Ｇ２ＡＦの焦点距離
ｆ２ＡＲ：第２Ａレンズ群後群Ｇ２ＡＲの焦点距離
【００２２】
さらに本発明を実施の超広角レンズ系は、上記発明において、第２Ｂレンズ群Ｇ２Ｂは、少なくとも１枚の負レンズと少なくとも１枚の正レンズからなる接合負レンズユニットＬ２ＢＪｏｉｎを有し、以下の条件を満足することを特徴とする。
（９）−１５．０＜ｆ２ＢＪｏｉｎ／ｆｗ＜−２．０
但し、
ｆｗ：広角端におけるレンズ全系の焦点距離
ｆ２ＢＪ：第２Ｂレンズ群Ｇ２Ｂ内の接合負レンズユニットＬ２ＢＪｏｉｎの焦点距離
【００２３】
さらに本発明を実施の超広角レンズ系は、上記発明において、以下の条件を満足することを特徴とする。
（１０）Ｎｄ２ＢＮ＞１．８
（１１）Ｖｄ２ＢＰ＞８０
但し、
Ｎｄ２ＢＮ：接合負レンズユニットＬ２ＢＪｏｉｎ内における少なくとも１枚の負レンズの屈折率
Ｖｄ２ＢＰ：接合負レンズユニットＬ２ＢＪｏｉｎ内における少なくとも１枚の正レンズのアッベ数
【発明の効果】
【００２４】
本発明を実施の超広角レンズ系によれば、デジタルカメラ、銀塩カメラ、ビデオカメラ等に用いられるレンズ系であって、撮影画角が１２０°を超える超広角レンズ系でありながら、バックフォーカスが長く、イメージサークルが大きな３５ｍｍフォーマットの交換レンズに適した、フォーカシングによる収差変動が少なく、高性能な、インナーフォーカス方式を採用する広角端側の開放Ｆ値がＦ２．８程度に適応可能な超広角レンズ系を提供することができる。
【図面の簡単な説明】
【００２５】
【図１】実施例１の超広角レンズ系の無限遠におけるレンズ断面図
【図２】実施例１の超広角レンズ系の無限遠における縦収差図
【図３】実施例１の超広角レンズ系の撮影倍率１：４０倍における縦収差図
【図４】実施例１の超広角レンズ系の無限遠における横収差図
【図５】実施例１の超広角レンズ系の撮影倍率１：４０倍における横収差図
【図６】実施例２の超広角レンズ系の広角端の無限遠におけるレンズ断面図
【図７】実施例２の超広角レンズ系の広角端の無限遠における縦収差図
【図８】実施例２の超広角レンズ系の広角端の撮影倍率１：４０倍における縦収差図
【図９】実施例２の超広角レンズ系の中間焦点距離の無限遠における縦収差図
【図１０】実施例２の超広角レンズ系の中間焦点距離の撮影倍率１：４０倍における縦収差図
【図１１】実施例２の超広角レンズ系の望遠端の無限遠における縦収差図
【図１２】実施例２の超広角レンズ系の望遠端の撮影倍率１：４０倍における縦収差図
【図１３】実施例２の超広角レンズ系の広角端の無限遠における横収差図
【図１４】実施例２の超広角レンズ系の広角端の撮影倍率１：４０倍における横収差図
【図１５】実施例２の超広角レンズ系の中間焦点距離の無限遠における横収差図
【図１６】実施例２の超広角レンズ系の中間焦点距離の撮影倍率１：４０倍における横収差図
【図１７】実施例２の超広角レンズ系の望遠端の無限遠における横収差図
【図１８】実施例２の超広角レンズ系の望遠端の撮影倍率１：４０倍における横収差図
【図１９】実施例３の超広角レンズ系の広角端の無限遠におけるレンズ断面図
【図２０】実施例３の超広角レンズ系の広角端の無限遠における縦収差図
【図２１】実施例３の超広角レンズ系の広角端の撮影倍率１：４０倍における縦収差図
【図２２】実施例３の超広角レンズ系の中間焦点距離の無限遠における縦収差図
【図２３】実施例３の超広角レンズ系の中間焦点距離の撮影倍率１：４０倍における縦収差図
【図２４】実施例３の超広角レンズ系の望遠端の無限遠における縦収差図
【図２５】実施例３の超広角レンズ系の望遠端の撮影倍率１：４０倍における縦収差図
【図２６】実施例３の超広角レンズ系の広角端の無限遠における横収差図
【図２７】実施例３の超広角レンズ系の広角端の撮影倍率１：４０倍における横収差図
【図２８】実施例３の超広角レンズ系の中間焦点距離の無限遠における横収差図
【図２９】実施例３の超広角レンズ系の中間焦点距離の撮影倍率１：４０倍における横収差図
【図３０】実施例３の超広角レンズ系の望遠端の無限遠における横収差図
【図３１】実施例３の超広角レンズ系の望遠端の撮影倍率１：４０倍における横収差図
【図３２】実施例４の超広角レンズ系の広角端の無限遠におけるレンズ断面図
【図３３】実施例４の超広角レンズ系の広角端の無限遠における縦収差図
【図３４】実施例４の超広角レンズ系の広角端の撮影倍率１：４０倍における縦収差図
【図３５】実施例４の超広角レンズ系の中間焦点距離の無限遠における縦収差図
【図３６】実施例４の超広角レンズ系の中間焦点距離の撮影倍率１：４０倍における縦収差図
【図３７】実施例４の超広角レンズ系の望遠端の無限遠における縦収差図
【図３８】実施例４の超広角レンズ系の望遠端の撮影倍率１：４０倍における縦収差図
【図３９】実施例４の超広角レンズ系の広角端の無限遠における横収差図
【図４０】実施例４の超広角レンズ系の広角端の撮影倍率１：４０倍における横収差図
【図４１】実施例４の超広角レンズ系の中間焦点距離の無限遠における横収差図
【図４２】実施例４の超広角レンズ系の中間焦点距離の撮影倍率１：４０倍における横収差図
【図４３】実施例４の超広角レンズ系の望遠端の無限遠における横収差図
【図４４】実施例４の超広角レンズ系の望遠端の撮影倍率１：４０倍における横収差図
【図４５】実施例５の超広角レンズ系の広角端の無限遠におけるレンズ断面図
【図４６】実施例５の超広角レンズ系の広角端の無限遠における縦収差図
【図４７】実施例５の超広角レンズ系の広角端の撮影倍率１：４０倍における縦収差図
【図４８】実施例５の超広角レンズ系の中間焦点距離の無限遠における縦収差図
【図４９】実施例５の超広角レンズ系の中間焦点距離の撮影倍率１：４０倍における縦収差図
【図５０】実施例５の超広角レンズ系の望遠端の無限遠における縦収差図
【図５１】実施例５の超広角レンズ系の望遠端の撮影倍率１：４０倍における縦収差図
【図５２】実施例５の超広角レンズ系の広角端の無限遠における横収差図
【図５３】実施例５の超広角レンズ系の広角端の撮影倍率１：４０倍における横収差図
【図５４】実施例５の超広角レンズ系の中間焦点距離の無限遠における横収差図
【図５５】実施例５の超広角レンズ系の中間焦点距離の撮影倍率１：４０倍における横収差図
【図５６】実施例５の超広角レンズ系の望遠端の無限遠における横収差図
【図５７】実施例５の超広角レンズ系の望遠端の撮影倍率１：４０倍における横収差図
【発明を実施するための形態】
【００２６】
本発明の超広角レンズ系は、図１、図６、図１９、図３２、及び図４５に示すレンズ構成図からわかるように、物体側より順に、負の屈折力の第１レンズ群Ｇ１、正の屈折力の第２レンズ群Ｇ２からなり、第１レンズ群Ｇ１は、負の屈折力の第１Ａレンズ群Ｇ１Ａ、負の屈折力の第１Ｂレンズ群Ｇ１Ｂで構成され、さらに、第１Ａレンズ群Ｇ１Ａは、物体側から順に、負メニスカスレンズの第１レンズＬ１、少なくとも１面に非球面を有する負メニスカスレンズの第２レンズＬ２で構成され、第１Ｂレンズ群Ｇ１Ｂは、最も物体側に少なくとも１面に非球面を有する負メニスカスレンズＬ３を有し、フォーカシングの際、第１Ｂレンズ群Ｇ１Ｂを物体側に移動させ、第２レンズ群Ｇ２は最も像側に少なくとも１面に非球面を有する正の単レンズＬ２ａｓｐを有する構成としている。
【００２７】
本発明に係る実施例では、第１Ａレンズ群Ｇ１Ａを構成する第１レンズＬ１及び第２レンズＬ２において、それぞれ物体側に凸面を向けた負メニスカスレンズを採用している。
【００２８】
本発明は、画角が１２０°を超える超広角レンズ系の提供を目的としており、周辺画角における入射角の傾きが大きい光線を適切に導くことが重要となる。
【００２９】
また、超広角レンズ系においては、十分なバックフォーカスを確保するため、レトロフォーカスタイプが好ましく、前方に位置する負レンズ群の負屈折力を強くする必要がある。
【００３０】
さらに、周辺画角における傾きが大きい光線の入射角及び射出角に対応するために、レンズ周辺部にて適切なレンズ面の傾き角を設定する必要がある。
【００３１】
そして、Ｆ２．８の周辺光束に対応するため、Ｌ１、Ｌ２のレンズ径を適切なサイズに設定する必要があるので、第１Ａレンズ群Ｇ１Ａのパワーを適切に設定する必要がある。
【００３２】
したがって、本発明では、第１Ａレンズ群Ｇ１Ａを構成する２枚の負メニスカスレンズにおいて、適切な屈折力の配分を行い、全体として十分な負の屈折力を得つつ、非点収差の発生を抑えることができる構成を目的とした。
【００３３】
また、第１Ａレンズ群Ｇ１Ａを負メニスカスレンズ２枚のみで構成することにより、レンズ系全体のコンパクト化にも有効な構成とした。
【００３４】
さらに、第１Ａレンズ群Ｇ１Ａを構成する第２レンズＬ２には、少なくとも１面に非球面を採用することとした。
【００３５】
ここで、負メニスカスレンズの屈折力の設定について説明する。
【００３６】
一般に、負メニスカスレンズにおいては、物体側の凸面の近軸曲率を小さくし、像側の凹面の近軸曲率を大きくすることで十分な負の屈折力を得ることができる。しかしながら、本発明においては、第２レンズＬ２の物体側レンズ面の近軸曲率を小さくし過ぎると、レンズ面周辺部での入射光に対するレンズ面の傾き角が小さくなり、周辺光束に対して垂直なレンズ面の傾き角を得られず、収差補正において不利となる。
【００３７】
そこで、本発明では、物体側の凸面の近軸曲率を小さく維持したまま、このレンズ面に非球面を採用し、レンズ径の周辺部にいくにしたがって強い正の屈折力を持たせることで、レンズ周辺部での周辺光束に対する適切なレンズ面の傾き角を得ることができ、負の屈折力を得ることと収差補正の効果を得ることを両立することができる。
【００３８】
また、一般に、負メニスカスレンズの負の屈折力を強くするには、像面側の凹面の近軸曲率を大きくすることが有効である。しかしながら、像面側の凹面の近軸曲率を大きくすることにより負メニスカスレンズの負の屈折力を強くすると、レンズ周辺部でのレンズ面の傾き角がきつくなるため、負メニスカスレンズの加工性が悪化する。
【００３９】
そこで、本発明では、負メニスカスレンズの最も像面側のレンズ面に非球面を採用することで、レンズ周辺部の傾き角を適切にコントロールし、周辺光束に対して適切な収差補正をしつつ、レンズの加工性を向上することができる。
【００４０】
ここで、反対に、負メニスカスレンズの屈折力を弱くするには、物体側の凸面の近軸曲率を大きくすることが有効である。しかしながら、物体側レンズ面の近軸曲率を大きくすると、レンズ周辺部での周辺光束に対するレンズ面の傾き角が小さくなるため、レンズの加工性が悪化する。
【００４１】
そこで、本発明では、物体側レンズ面に非球面を採用することで、レンズ周辺部での光束に対するレンズ面の傾き角を垂直な角度に近づけることにより、周辺光束に対して適切なレンズ周辺部のレンズ面の傾き角を得ることができ、周辺光束に対して適切な収差補正をしつつ非球面レンズの加工性を向上させることができる。
【００４２】
上記の通り、負メニスカスレンズにおいて、物体側、像面側いずれかのレンズ面に非球面を採用することで、負の屈折力を適切にコントロールしつつ、周辺光束に対してレンズ周辺部でのレンズ面の適切な傾き角を得ることができ、また、適切な収差補正とレンズの加工性にも配慮することができる。
【００４３】
さらに、本発明において、フォーカシングに用いる第１Ｂレンズ群Ｇ１Ｂに含まれるレンズのうち、最も物体側に配置される第３レンズＬ３にも、第１レンズＬ１、第２レンズＬ２と同様、負メニスカスレンズを採用している。
【００４４】
本発明は、画角が１２０°を超える超広角レンズ系の提供を目的としており、入射光線の傾きが大きな周辺光束に対して光線を導くには第１Ａレンズ群Ｇ１Ａの２枚の負メニスカスレンズの屈折力だけでは不十分であり、第１Ａレンズ群Ｇ１Ａからの周辺光線の射出角は依然として大きいままである。そのため、第１Ｂレンズ群Ｇ１Ｂにおいても入射光線の傾きをさらに小さくする必要がある。
【００４５】
そこで、第３レンズＬ３にも、第１レンズＬ１と第２レンズＬ２と同様に、物体側に凸面を向けた負メニスカスレンズを採用することとしている。
【００４６】
このようにすることで、周辺光束に対して適切なレンズ周辺部でのレンズ面の傾き角を得ることができ、周辺光束の収差補正を十分に行いつつ、フォーカシングの際、撮影距離が異なることによる光線の入射角の変化に対して、収差変動が小さいレンズ系を得ることができる。
【００４７】
さらに、第３レンズＬ３においても、第２レンズＬ２と同様に、負メニスカスレンズの少なくとも１面に非球面を採用することで、周辺光束に対して適切なレンズ面の傾き角を得ることにより、周辺光束の収差補正を十分に行うことができる。
【００４８】
また、フォーカシングの際、撮影距離が異なることによる光線の入射角の変化に対して、収差変動の小さい光学系を得ることができる。
【００４９】
本発明では、画角が１２０°を超える超広角レンズ系の提供を目的としており、光線の入射角が大きく変化する画面中心部、画面中間画角部、画面周辺部の収差バランスを適切にとることが重要である。
【００５０】
そこで、本発明では、第１Ａレンズ群Ｇ１Ａに含まれる２枚の負メニスカスレンズのレンズ形状及び、非球面係数を適切にコントロールすることで、撮影画面全体で収差バランスをとりつつ、フォーカシングによる収差変動を減らす手段をとっている。
【００５１】
また、Ｆ２．８の大口径化を実現しつつ十分な収差補正を行うためには、第２レンズ群における収差補正も重要となる。
【００５２】
さらに、正の屈折力を持つ第２レンズ群Ｇ２内において、十分な収差補正をしつつ偏芯敏感度を悪化させない構成とすることも重要である。
【００５３】
そこで、適切な屈折力を持つ最も像面側のレンズを正の単レンズＬ２ａｓｐとし、少なくとも１面に非球面を採用している。
【００５４】
そのため、本発明は、次の条件式（１）乃至条件式（４）を満足することを特徴としている。
（１）３．４＜｜ｆ１Ａ／ｆｗ｜＜６．０
（２）０．５＜｜ｆ１Ｂ／ｆ１Ａ｜＜３．０
（３）２．０＜ｆ２／ｆｗ＜５．０
（４）１．０＜ｆ２ａｓｐ／ｆ２＜５．０
但し、
ｆｗ：レンズ全系の焦点距離、又は、広角端におけるレンズ全系の焦点距離
ｆ１Ａ：第１Ａレンズ群Ｇ１Ａの焦点距離
ｆ１Ｂ：第１Ｂレンズ群Ｇ１Ｂの焦点距離
ｆ２：第２レンズ群Ｇ２の焦点距離、又は、広角端における第２レンズ群Ｇ２の焦点距離
ｆ２ａｓｐ：第２レンズ群Ｇ２内の少なくとも１面に非球面を有する正の単レンズＬ２ａｓｐの焦点距離
【００５５】
条件式（１）は、本発明の超広角レンズ系において、レトロフォーカスタイプの広角レンズ系のレンズ全系の焦点距離ｆｗに対する第１Ａレンズ群Ｇ１Ａの焦点距離の比を規定するものである。
【００５６】
ただし、ズームレンズに本発明を適用する場合には、レンズ全系の焦点距離は、ズーム広角端におけるレンズ全系の焦点距離を採用する。
【００５７】
条件式（１）の下限を超えると、第１Ａレンズ群Ｇ１Ａの負の屈折力が強くなり、レンズ全系のコンパクト化には有効であるが、像面湾曲の補正が困難になり、さらに第２レンズＬ２において中心部と周辺部の肉厚差が大きくなる傾向にあるので、非球面レンズの加工性が悪化する。
【００５８】
また、条件式（１）の上限を超えると、第１Ａレンズ群Ｇ１Ａの負の屈折力が弱くなり、第２レンズＬ２のレンズ径が大きくなる。その結果、第２レンズＬ２において非球面の周辺部で傾き角が大きくなるので、画面周辺部まで十分な収差補正を行うには、非球面レンズの加工性が悪化する。
【００５９】
特にレンズ系の画角を大きくしていく程、第２レンズＬ２において非球面の周辺部で傾き角が顕著に大きくなるので、第１Ａレンズ群Ｇ１Ａの負の屈折力を適切に設定する必要がある。
【００６０】
本発明の超広角レンズ系のフォーカシングにおいては、第１Ａレンズ群Ｇ１Ａに大口径な負メニスカスレンズを配置することが必要となるため、フォーカスレンズの軽量化が課題となる。また、フォーカシングによる像面湾曲の発生が課題となり、フォーカシングにインナーフォーカスを採用することで、フローティングによる収差補正効果が付加される。
【００６１】
条件式（２）は、本発明の超広角レンズ系において、第１Ａレンズ群Ｇ１Ａの焦点距離と第１Ｂレンズ群Ｇ１Ｂの焦点距離との比を規定するものである。
【００６２】
条件式（２）の下限を超えると第１Ｂレンズ群Ｇ１Ｂの屈折力が大きくなるので、フォーカシングによる収差変動が大きくなる。
【００６３】
さらに、第１Ａレンズ群Ｇ１Ａの屈折力が小さくなり、画角が１２０°を超える入射光線を適切に屈折させるための必要十分な屈折力が得られず、第２レンズＬ２のレンズ径が大きくなるので、画面周辺部まで十分な収差補正を行うには、第２レンズＬ２において非球面の周辺部で傾き角が大きくする必要が生じるので、非球面レンズの加工性が悪化する。
【００６４】
特にレンズ系の画角を大きくしていく程、第２レンズＬ２において非球面の周辺部で傾き角が顕著に大きくなるので、第１Ａレンズ群Ｇ１Ａの負の屈折力を適切に設定する必要がある。
【００６５】
また、条件式（２）の上限を超えると、第１Ｂレンズ群Ｇ１Ｂの屈折力が小さくなるため、第１Ｂレンズ群Ｇ１Ｂの近距離撮影時のフォーカス移動量が大きくなる。その結果、第１Ａレンズ群Ｇ１Ａと第１Ｂレンズ群Ｇ１Ｂとのレンズ間隔を大きくする必要がある。
【００６６】
条件式（１）と条件式（２）を同時に満足することで、レンズ全系の焦点距離に対して、第１Ａレンズ群Ｇ１Ａの焦点距離を適切にコントロールすることが可能となり、レンズの加工条件を考慮しつつ、フォーカシングによる収差変動が小さく、画面周辺部まで十分な収差補正が出来る。
【００６７】
また、本発明の超広角レンズ系は、デジタル一眼レフタイプのカメラ等、バックフォーカスを十分に取る必要のあるカメラシステムに対応するため、第２レンズ群Ｇ２の焦点距離を適切に設定する必要がある。
【００６８】
条件式（３）は、超広角レンズ系において、レトロフォーカスタイプの広角レンズ系のレンズ全系の焦点距離に対する第２レンズ群Ｇ２の焦点距離の比を規定するものである。
【００６９】
ここで、ズームレンズに本発明を適用する場合には、レンズ全系の焦点距離ｆｗは、ズーム広角端におけるレンズ全系の焦点距離を採用し、第２レンズ群Ｇ２の焦点距離ｆ２は、ズーム広角端における第２レンズ群Ｇ２の焦点距離を採用する。
【００７０】
条件式（３）の下限を超えると、第２レンズ群Ｇ２の焦点距離が短くなり、レンズ系全体のコンパクト化には有効であるが、各レンズ面の曲率が大きくなるので、超広角レンズ系で課題となる非点収差、コマ収差等の収差補正が困難になる。
【００７１】
条件式（３）の上限を超えると、第２レンズ群Ｇ２の焦点距離が長くなり、収差補正には有利となるが、レンズ系全体のコンパクト化が困難になる。
【００７２】
特許文献２において、最も像面側のレンズユニットには、強い負の屈折力を持つ光学系に非球面を採用することで効果的な収差補正が可能としている。
【００７３】
しかしながら、第２レンズ群Ｇ２は全体として正の屈折力が強いため、最も像面側のレンズユニットを、非球面を有する負レンズユニットとすると、偏芯敏感度の増大によりレンズ鏡枠の組み立て精度を維持することが困難となり、生産性の問題が生じる。
【００７４】
そこで、本発明では、最も像面側のレンズユニットを、少なくとも１面に非球面を有する正の単レンズＬ２ａｓｐとし、その屈折力を適切に設定することで、十分収差補正効果を得つつ、偏芯敏感度の小さなレンズ系を得ることを可能とした。
【００７５】
条件式（４）は、本発明の超広角レンズ系において、第２レンズ群Ｇ２の焦点距離に対する第２レンズ群Ｇ２内の最も像面側の非球面を有する正の単レンズＬ２ａｓｐの焦点距離の比を規定するものである。
【００７６】
条件式（４）の下限を超えて正の単レンズＬ２ａｓｐの焦点距離が短くなり、正の単レンズＬ２ａｓｐの屈折力が大きくなると、周辺光束に対する屈折効果が強くなることから、非球面による周辺光束の収差補正効果が不十分となる。
【００７７】
条件式（４）の上限を超えて正の単レンズＬ２ａｓｐの焦点距離が長くなると、正の単レンズＬ２ａｓｐよりも前に位置する光学系から射出される周辺光束の屈折力が強くなるので、周辺光束に関して、正の単レンズＬ２ａｓｐを通る際の入射角と射出角で光線の傾き変化が大きくなり、正の単レンズＬ２ａｓｐの偏芯敏感度が増大する。
【００７８】
さらに、本発明の超広角レンズ系は、第２レンズ群Ｇ２を、第２Ａレンズ群Ｇ２Ａ、第２Ｂレンズ群Ｇ２Ｂで構成し、第１レンズ群Ｇ１と第２Ａレンズ群Ｇ２Ａとの間隔が減少し、第２Ａレンズ群Ｇ２Ａと第２Ｂレンズ群Ｇ２Ｂとの間隔が増加することで、広角端側から望遠端側へのズーミングを達成することが望ましい。
【００７９】
本発明の超広角レンズ系において、第２Ａレンズ群Ｇ２Ａの焦点距離を適切に設定し、第１レンズ群Ｇ１からの強い発散光束を収束させることで、第２Ａレンズ群Ｇ２Ａからの射出角を略アフォーカルに設定することにより、広角端側の周辺光線をカットすることなく、第２Ａレンズ群Ｇ２Ａにより中間域から望遠で上光線フレアーを適切な光線高さでカットすることができる。
【００８０】
さらに、第２Ｂレンズ群Ｇ２Ｂの焦点距離を適切に設定することで、ズーム全域において十分な光学性能を得つつ、第２Ｂレンズ群Ｇ２Ｂの偏芯敏感度を適切にコントロールすることができる。
【００８１】
そのため、本発明は、さらに次の条件式（５）及び条件式（６）を満足することが望ましい。
（５）２．０＜ｆ２Ａ／ｆｗ＜５．０
（６）１０．０＜｜ｆ２Ｂ／ｆｗ｜
但し、
ｆｗ：広角端におけるレンズ全系の焦点距離
ｆ２Ａ：第２Ａレンズ群Ｇ２Ａの焦点距離
ｆ２Ｂ：第２Ｂレンズ群Ｇ２Ｂの焦点距離
【００８２】
条件式（５）は、本発明の超広角レンズ系において、広角端でのレンズ全系の焦点距離に対する第２Ａレンズ群Ｇ２Ａの焦点距離の比を規定するものである。
【００８３】
条件式（５）の下限を超えて第２Ａレンズ群Ｇ２Ａの焦点距離が短くなると、第１レンズ群Ｇ１の負の屈折力を強くする必要が生じ、コマ収差、非点収差の補正が困難になる。
【００８４】
条件式（５）の上限を超えて第２Ａレンズ群Ｇ２Ａの焦点距離が長くなると、第２Ａレンズ群Ｇ２Ａの焦点距離が長くなるので中心光束に対して十分な収束効果が得られず、適切なフレアーカット効果が得られない。
【００８５】
条件式（６）は、本発明の超広角レンズ系において、広角端でのレンズ全系の焦点距離に対する第２Ｂレンズ群Ｇ２Ｂの焦点距離の比を規定するものである。
【００８６】
条件式（６）において、第２Ｂレンズ群Ｇ２Ｂが正の屈折力を有する場合、下限を超えると、第２Ｂレンズ群Ｇ２Ｂの正の屈折力が強くなるため、各レンズ面の曲率が大きくなり、第２Ｂレンズ群Ｇ２Ｂ内のレンズユニットの偏芯敏感度が大きくなることにより、レンズ加工の際に求められる精度が極端に上がる。
【００８７】
条件式（６）において、第２Ｂレンズ群Ｇ２Ｂが負の屈折力である場合、下限を超えると、第２Ｂレンズ群Ｇ２Ｂの負の屈折力が強くなるため、第２Ｂレンズ群Ｇ２Ｂ全体の偏芯敏感度が大きくなり、レンズ鏡枠の組み立てにおける生産性が悪化する。
【００８８】
さらに、本発明の超広角レンズ系において、第２Ａレンズ群Ｇ２Ａは絞りユニットを挟んだ前側の第２Ａレンズ群前群Ｇ２ＡＦ、後側の第２Ａレンズ群後群Ｇ２ＡＲに分かれ、次の条件式（７）及び条件式（８）を満足することが望ましい。
（７）２．５＜｜ｆ２ＡＦ／ｆ１｜＜５．０
（８）２．０＜｜ｆ２ＡＲ／ｆｗ｜＜５．０
但し、
ｆｗ：広角端におけるレンズ全系の焦点距離
ｆ１：第１レンズ群Ｇ１の焦点距離
ｆ２ＡＦ：第２Ａレンズ群前群Ｇ２ＡＦの焦点距離
ｆ２ＡＲ：第２Ａレンズ群後群Ｇ２ＡＲの焦点距離
【００８９】
第２Ａレンズ群前群Ｇ２ＡＦからの中心光束の射出角と、第２Ａレンズ群後群Ｇ２ＡＲとの屈折力を適切に設定して、前群Ｇ２ＡＦと後群Ｇ２ＡＲとの間に開口絞りを配置することが望ましい。
【００９０】
条件式（７）は、本発明の超広角レンズ系において、第１レンズ群Ｇ１の焦点距離に対する前群Ｇ２ＡＦの焦点距離の比を規定するものである。
【００９１】
条件式（７）の下限を超えると、広角側において第１レンズ群Ｇ１と前群Ｇ２ＡＦの間隔を大きくする必要が生じるので、レンズ全長の大型化を招く。
【００９２】
条件式（７）の上限を超えると、広角側において第１レンズ群Ｇ１と前群Ｇ２ＡＦの間隔が小さくなるので、レンズ全系のコンパクト化には有利となるが、第１レンズ群Ｇ１の焦点距離が小さくなる傾向にあるので、十分な性能が得られない問題がある。
【００９３】
条件式（８）は、本発明の超広角レンズ系において、広角端でのレンズ全系の焦点距離に対する第２Ａレンズ群後群Ｇ２ＡＲの焦点距離の比を規定するものである。
【００９４】
条件式（８）の下限値を超えると、後群Ｇ２ＡＲの正の屈折力が強くなるので、後群Ｇ２ＡＲの各面の曲率が強くなり過ぎ、偏芯敏感度が大きくなるという問題が生じる。
【００９５】
条件式（８）の上限値を超えると、後群Ｇ２ＡＲの正の屈折力が弱くなるので、後群Ｇ２ＡＲから射出する周辺光束に対して十分な屈折効果が得られず、第２Ｂレンズ群Ｇ２Ｂに入射する光線高が高くなり過ぎる。その結果、第２Ｂレンズ群Ｇ２Ｂでサジタルコマフレアーの補正不足になるという問題が生じる。
【００９６】
さらに、本発明の超広角レンズ系において、第２Ｂレンズ群Ｇ２Ｂ内には、少なくとも１枚の負レンズと少なくとも１枚の正レンズからなる接合負レンズユニットＬ２ＢＪｏｉｎを有することが望ましい。
【００９７】
本発明の超広角レンズ系において、色収差等の収差補正をするため、第２Ｂレンズ群Ｇ２Ｂ内には、負レンズを配置することが必須条件となる。
【００９８】
しかしながら、周辺光束の射出角が大きくなる第２Ｂレンズ群Ｇ２Ｂ内に負レンズを配置すると、収差補正のために負レンズの屈折力が強くなる傾向にあり、負レンズの偏芯敏感度が大きくなってしまう。また、正レンズの屈折力もこれに応じて強くする必要があり、正レンズの偏芯敏感度も同時に大きくなる。
【００９９】
したがって、屈折力が強い負レンズと正レンズを接合し、接合負レンズユニット全体の焦点距離を適切に設定することで、十分な収差補正効果を得つつ、偏芯敏感度を小さくすることができる。
【０１００】
そのため、本発明は、さらに次の条件式（９）を満足することが望ましい。
（９）−１５．０＜ｆ２ＢＪｏｉｎ／ｆｗ＜−２．０
但し、
ｆｗ：広角端におけるレンズ全系の焦点距離
ｆ２ＢＪｏｉｎ：第２Ｂレンズ群Ｇ２Ｂ内の接合負レンズユニットＬ２ＢＪｏｉｎの焦点距離
【０１０１】
条件式（９）は、本発明の超広角レンズ系において、広角端でのレンズ全系の焦点距離に対する第２Ｂレンズ群Ｇ２Ｂ内の接合負レンズユニットＬ２ＢＪｏｉｎ全体の焦点距離の比を規定するものである。
【０１０２】
条件式（９）の下限を超えると、接合負レンズユニットＬ２ＢＪｏｉｎの負の屈折力が小さくなるため、収差補正効果が不十分となる。
【０１０３】
条件式（９）の上限を超えると、接合負レンズユニットＬ２ＢＪｏｉｎの負の屈折力が強くなるため、偏芯敏感度が大きくなる。
【０１０４】
さらに、本発明の超広角レンズ系において、第２Ｂレンズ群Ｇ２Ｂ内の接合負レンズユニットＬ２ＢＪｏｉｎは、次の条件式（１０）及び条件式（１１）を満足することが望ましい。
（１０）Ｎｄ２ＢＮ＞１．８
（１１）Ｖｄ２ＢＰ＞８０
但し、
Ｎｄ２ＢＮ：接合負レンズユニットＬ２ＢＪｏｉｎ内における少なくとも１枚の負レンズの屈折率
Ｖｄ２ＢＰ：接合負レンズユニットＬ２ＢＪｏｉｎ内における少なくとも１枚の正レンズのアッベ数
【０１０５】
条件式（１０）は、第２Ｂレンズ群Ｇ２Ｂ内の接合負レンズユニットＬ２ＢＪｏｉｎを構成する負レンズの屈折率を規定したものであり、条件式（１１）は、第２Ｂレンズ群Ｇ２Ｂ内の接合負レンズユニットＬ２ＢＪｏｉｎを構成する正レンズのアッべ数を規定したものである。
【０１０６】
第２Ｂレンズ群Ｇ２Ｂ内の接合負レンズユニットＬ２ＢＪｏｉｎを構成する負レンズの屈折力を条件式（１０）の範囲内とすることで、負レンズの屈折力を維持しつつ各レンズ面の曲率を小さくすることができる。
【０１０７】
また、第２Ｂレンズ群Ｇ２Ｂ内の接合負レンズユニットＬ２ＢＪｏｉｎを構成する正レンズのアッベ数を条件式（１１）の範囲内とすることで、広角レンズで問題となる倍率色収差を補正することができる。さらに、接合負レンズユニットＬ２ＢＪｏｉｎの屈折力を維持しつつ、接合面の曲率を小さくすることができ、正レンズ及び負レンズそれぞれの屈折力を小さくできる。
【０１０８】
次に、本発明の超広角レンズ系に係る実施例のレンズ構成について説明する。なお、以下の説明ではレンズ構成を物体側から像側の順番で記載する。
【実施例１】
【０１０９】
図１は、本発明の実施例１の結像光学系のレンズ構成図である。
【０１１０】
第１レンズ群Ｇ１は、第１Ａレンズ群Ｇ１Ａと第１Ｂレンズ群Ｇ１Ｂとから構成されており、全体として負の屈折力を有している。
【０１１１】
第１Ａレンズ群Ｇ１Ａは、物体側に凸面を向けた負メニスカスレンズＬ１と、物体側に凸面を向けた負メニスカスレンズＬ２とから構成されており、全体として負の屈折力を有している。
【０１１２】
また、負メニスカスレンズＬ２の両側レンズ面は、所定の非球面形状となっている。
【０１１３】
第１Ｂレンズ群Ｇ１Ｂは、物体側に凸面を向けた負メニスカスレンズＬ３と、両凹レンズＬ４と両凸レンズＬ５とからなり、全体として負の屈折力を有する接合レンズとから構成されており、全体として負の屈折力を有している。この第１Ｂレンズ群Ｇ１Ｂは、無限遠から近距離へのフォーカシングに際して光軸に沿って物体側に移動する。
【０１１４】
また、負メニスカスレンズＬ３の両側レンズ面と、両凹レンズＬ４の物体側レンズ面とは、それぞれ所定の非球面形状となっている。
【０１１５】
第２レンズ群Ｇ２は、開口絞りと、両凸レンズＬ６と、両凹レンズＬ７と、両凸レンズＬ８と、物体側に凹面を向けた正メニスカスレンズＬ９と、両凸レンズＬ１０と、両凹レンズＬ１１と、両凸レンズＬ１２とからなり、全体として負の屈折力を有する３枚接合レンズと、物体側に凹面を向けた正メニスカスレンズＬ１３とから構成されており、全体として正の屈折力を有している。
【０１１６】
また、正メニスカスレンズＬ１３の両側レンズ面は、所定の非球面形状となっている。
【０１１７】
また、本発明では正メニスカスレンズＬ１３をＬ２ａｓｐと定義している。
【実施例２】
【０１１８】
図６は、本発明の実施例２の結像光学系のレンズ構成図である。
【０１１９】
第１レンズ群Ｇ１は、第１Ａレンズ群Ｇ１Ａと第１Ｂレンズ群Ｇ１Ｂとから構成されており、全体として負の屈折力を有している。
【０１２０】
第１Ａレンズ群Ｇ１Ａは、物体側に凸面を向けた負メニスカスレンズＬ１と、物体側に凸面を向けた負メニスカスレンズＬ２とから構成されており、全体として負の屈折力を有している。
【０１２１】
また、負メニスカスレンズＬ２の両側レンズ面は、それぞれ所定の非球面形状となっている。
【０１２２】
第１Ｂレンズ群Ｇ１Ｂは、物体側に凸面を向けた負メニスカスレンズＬ３と、両凹レンズＬ４と、両凸レンズＬ５とから構成されており、全体として負の屈折力を有している。この第１Ｂレンズ群Ｇ１Ｂは、無限遠から近距離へのフォーカシングに際して光軸に沿って物体側に移動する。
【０１２３】
また、負メニスカスレンズＬ３の両側レンズ面と、両凹レンズＬ４の像面側レンズ面とは、それぞれ所定の非球面形状となっている。
【０１２４】
第２レンズ群Ｇ２は、前群Ｇ２ＡＦと開口絞りと後群Ｇ２ＡＲとから構成される第２Ａレンズ群Ｇ２Ａと、第２Ｂレンズ群Ｇ２Ｂとから構成されており、全体として正の屈折力を有している。
【０１２５】
前群Ｇ２ＡＦは、物体側に凸面を向けた正メニスカスレンズＬ６から構成されており、全体として正の屈折力を有している。
【０１２６】
後群Ｇ２ＡＲは、両凸レンズＬ７と物体側に凹面を向けた負メニスカスレンズＬ８とからなり、全体として負の屈折力を有する接合レンズと、物体側に凹面を向けた正メニスカスレンズＬ９と物体側に凹面を向けた負メニスカスレンズＬ１０とからなり、全体として正の屈折力を有する接合レンズと、両凸レンズＬ１１と物体側に凹面を向けた負メニスカスレンズＬ１２とからなり、全体として正の屈折力を有する接合レンズと、両凸レンズＬ１３とから構成されており、全体として正の屈折力を有している。
【０１２７】
第２Ｂレンズ群Ｇ２Ｂは、両凹レンズＬ１４と物体側に凸面を向けた正メニスカスレンズＬ１５とからなり、全体として正の屈折力を有する接合レンズと、両凸レンズＬ１６とから構成されており、全体として正の屈折力を有している。
【０１２８】
また、両凸レンズＬ１６の両側レンズ面は、それぞれ所定の非球面形状となっている。
【０１２９】
また、本発明では、両凹レンズＬ１４と正メニスカスレンズＬ１５とからなる接合レンズをＬ２ＢＪｏｉｎと定義し、両凸レンズＬ１６をＬ２ａｓｐと定義している。
【実施例３】
【０１３０】
図１９は、本発明の実施例３の結像光学系のレンズ構成図である。
【０１３１】
第１レンズ群Ｇ１は、第１Ａレンズ群Ｇ１Ａと第１Ｂレンズ群Ｇ１Ｂとから構成されており、全体として負の屈折力を有している。
【０１３２】
第１Ａレンズ群Ｇ１Ａは、物体側に凸面を向けた負メニスカスレンズＬ１と、物体側に凸面を向けた負メニスカスレンズＬ２とから構成されており、全体として負の屈折力を有している。
【０１３３】
また、負メニスカスレンズＬ２の両側レンズ面は、それぞれ所定の非球面形状となっている。
【０１３４】
第１Ｂレンズ群Ｇ１Ｂは、物体側に凸面を向けた負メニスカスレンズＬ３と、両凹レンズＬ４と、両凸レンズＬ５とから構成されており、全体として負の屈折力を有している。この第１Ｂレンズ群Ｇ１Ｂは、無限遠から近距離へのフォーカシングに際して光軸に沿って物体側に移動する。
【０１３５】
また、負メニスカスレンズＬ３の両側レンズ面と、両凹レンズＬ４の像面側レンズ面とは、それぞれ所定の非球面形状となっている。
【０１３６】
第２レンズ群Ｇ２は、前群Ｇ２ＡＦと開口絞りと後群Ｇ２ＡＲとから構成される第２Ａレンズ群Ｇ２Ａと、第２Ｂレンズ群Ｇ２Ｂとから構成されており、全体として正の屈折力を有している。
【０１３７】
前群Ｇ２ＡＦは、物体側に凸面を向けた正メニスカスレンズＬ６から構成されており、全体として正の屈折力を有している。
【０１３８】
後群Ｇ２ＡＲは、両凸レンズＬ７と両凹レンズＬ８と物体側に平面を向けた凸レンズＬ９とからなり、全体として負の屈折力を有する３枚接合レンズと、両凸レンズＬ１０と物体側に凹面を向けた負メニスカスレンズＬ１１とからなり、全体として正の屈折力を有する接合レンズと、両凸レンズＬ１２とから構成されており、全体として負の屈折力を有している。
【０１３９】
第２Ｂレンズ群Ｇ２Ｂは、物体側に平面を向けた凹レンズＬ１３と両凸レンズＬ１４とからなり、全体として負の屈折力を有する接合レンズと、物体側に凹面を向けた正メニスカスレンズＬ１５とから構成されており、全体として正の屈折力を有している。
【０１４０】
また、正メニスカスレンズＬ１５の両側レンズ面は、それぞれ所定の非球面形状となっている。
【０１４１】
また、本発明では、両凹レンズＬ１３と両凸レンズＬ１４とからなる接合レンズをＬ２ＢＪｏｉｎと定義し、正メニスカスレンズＬ１５をＬ２ａｓｐと定義している。
【実施例４】
【０１４２】
図３２は、本発明の実施例４の結像光学系のレンズ構成図である。
【０１４３】
第１レンズ群Ｇ１は、第１Ａレンズ群Ｇ１Ａと第１Ｂレンズ群Ｇ１Ｂとから構成されており、全体として負の屈折力を有している。
【０１４４】
第１Ａレンズ群Ｇ１Ａは、物体側に凸面を向けた負メニスカスレンズＬ１と、物体側に凸面を向けた負メニスカスレンズＬ２とから構成されており、全体として負の屈折力を有している。
【０１４５】
また、負メニスカスレンズＬ２の両側レンズ面は、それぞれ所定の非球面形状となっている。
【０１４６】
第１Ｂレンズ群Ｇ１Ｂは、物体側に凸面を向けた負メニスカスレンズＬ３と、両凹レンズＬ４と、両凸レンズＬ５とから構成されており、全体として負の屈折力を有している。この第１Ｂレンズ群Ｇ１Ｂは、無限遠から近距離へのフォーカシングに際して光軸に沿って物体側に移動する。
【０１４７】
また、負メニスカスレンズＬ３の両側レンズ面と、両凹レンズＬ４の像面側レンズ面とは、それぞれ所定の非球面形状となっている。
【０１４８】
第２レンズ群Ｇ２は、前群Ｇ２ＡＦと開口絞りと後群Ｇ２ＡＲとから構成される第２Ａレンズ群Ｇ２Ａと、第２Ｂレンズ群Ｇ２Ｂとから構成されており、全体として正の屈折力を有している。
【０１４９】
前群Ｇ２ＡＦは、両凸レンズＬ６から構成されており、全体として正の屈折力を有している。
【０１５０】
後群Ｇ２ＡＲは、両凸レンズＬ７と両凹レンズＬ８と両凸レンズＬ９とからなり、全体として負の屈折力を有する３枚接合レンズと、物体側に凸面を向けた負メニスカスレンズＬ１０と両凸レンズＬ１１とからなり、全体として正の屈折力を有する接合レンズと、両凸レンズＬ１２とから構成されており、全体として負の屈折力を有している。
【０１５１】
第２Ｂレンズ群Ｇ２Ｂは、物体側に凸面を向けた負メニスカスレンズＬ１３と物体側に凸面を向けた正メニスカスレンズＬ１４とからなり、全体として負の屈折力を有する接合レンズと、物体側に凹面を向けた正メニスカスレンズＬ１５とから構成されており、全体として正の屈折力を有している。
【０１５２】
また、正メニスカスレンズＬ１５の両側レンズ面は、それぞれ所定の非球面形状となっている。
【０１５３】
また、本発明では、負メニスカスレンズＬ１３と正メニスカスレンズＬ１４とからなる接合レンズをＬ２ＢＪｏｉｎと定義し、正メニスカスレンズＬ１５をＬ２ａｓｐと定義している。
【実施例５】
【０１５４】
図４５は、本発明の実施例５の結像光学系のレンズ構成図である。
【０１５５】
第１Ａレンズ群Ｇ１Ａは、物体側に凸面を向けた負メニスカスレンズＬ１と、物体側に凸面を向けた負メニスカスレンズＬ２とから構成されており、全体として負の屈折力を有している。
【０１５６】
また、負メニスカスレンズＬ２の両側レンズ面は、それぞれ所定の非球面形状となっている。
【０１５７】
第１Ｂレンズ群Ｇ１Ｂは、物体側に凸面を向けた負メニスカスレンズＬ３と、両凹レンズＬ４と、両凸レンズＬ５とから構成されており、全体として負の屈折力を有している。この第１Ｂレンズ群Ｇ１Ｂは、無限遠から近距離へのフォーカシングに際して光軸に沿って物体側に移動する。
【０１５８】
また、負メニスカスレンズＬ３の両側レンズ面と、両凹レンズＬ４の像面側レンズ面とは、それぞれ所定の非球面形状となっている。
【０１５９】
第２レンズ群Ｇ２は、前群Ｇ２ＡＦと開口絞りと後群Ｇ２ＡＲとから構成される第２Ａレンズ群Ｇ２Ａと、第２Ｂレンズ群Ｇ２Ｂとから構成されており、全体として正の屈折力を有している。
【０１６０】
前群Ｇ２ＡＦは、物体側に凸面を向けた正メニスカスレンズＬ６から構成されており、全体として正の屈折力を有している。
【０１６１】
後群Ｇ２ＡＲは、両凸レンズＬ７と両凹レンズＬ８と像面側に平面を向けた凸レンズＬ９とからなり、全体として負の屈折力を有する３枚接合レンズと、両凸レンズＬ１０と物体側に凹面を向けた負メニスカスレンズＬ１１とからなり、全体として正の屈折力を有する接合レンズと、両凸レンズＬ１２とから構成されており、全体として負の屈折力を有している。
【０１６２】
第２Ｂレンズ群Ｇ２Ｂは、物体側に平面を向けた負メニスカスレンズＬ１３と両凸レンズＬ１４とからなり、全体として負の屈折力を有する接合レンズと、物体側に凹面を向けた正メニスカスレンズＬ１５とから構成されており、全体として正の屈折力を有している。
【０１６３】
また、正メニスカスレンズＬ１５の両側レンズ面は、それぞれ所定の非球面形状となっている。
【０１６４】
また、本発明では、負メニスカスレンズＬ１３と両凸レンズＬ１４とからなる接合レンズをＬ２ＢＪｏｉｎと定義し、正メニスカスレンズＬ１５をＬ２ａｓｐと定義している。
【０１６５】
以下に、前述した各実施例に対応する数値実施例の具体的な数値データを示す。
【０１６６】
各数値実施例の［全体諸元］において、ｆは焦点距離、ＦｎｏはＦナンバー、２ωは全画角を示す。［レンズ諸元］において、第１列の番号は物体側からのレンズ面番号、第２列のｒは各レンズ面の曲率半径、第３列のｄはレンズ面間隔、第４列のｎｄはｄ線（波長５８７．５６ｎｍ）に対する屈折率、Ｖｄはｄ線（波長５８７．５６ｎｍ）に対するアッベ数を示している。
【０１６７】
第１列のレンズ面番号に付した＊（アスタリスク）は、そのレンズ面形状が非球面であることを示している。第２列の「開口絞り」は絞り面位置を表し、第３列のＢｆはバックフォーカスを表す。
【０１６８】
［無限遠撮影時の変倍における可変間隔］及び［４０倍相当撮影時の変倍における可変間隔］において、焦点距離ｆはＩＮＦでの焦点距離、Ｂｆはバックフォーカス、ｄｎは各面のレンズ間隔を示しており、ｄ０は被写体からレンズ第１面までの距離を示している。
【０１６９】
［非球面係数］は、［レンズ諸元］において＊を付したレンズ面の非球面形状を与える非球面係数を示している。非球面の形状は、光軸に直行する方向への光軸からの変位をｙ、非球面と光軸の交点から光軸方向への変位（サグ量）をｚ、基準球面の曲率半径をｒ、コーニック係数をＫ、４次、６次、８次、１０次、１２次の非球面係数をそれぞれＡ４、Ａ６、Ａ８、Ａ１０、Ａ１２と置くとき、非球面の座標が以下の式で表されるものとする。
【０１７０】
0005806020.tif 000002
【０１７１】
なお、以下の全ての諸元の値において、記載している焦点距離ｆ、曲率半径ｒ、レンズ面間隔ｄ、その他の長さの単位は特記のない限りミリ（ｍｍ）を使用するが、光学系では比例拡大と比例縮小とにおいても同等の光学性能が得られるので、これに限られるものではない。
【０１７２】
また、以下に前述した各実施例における条件式の値の一覧を示す。
【０１７３】
数値実施例1
単位：mm
［レンズ緒元］
r              d             nd             Vd
[0]                              d0
[1]          39.2280         2.0000        2.00100          29.13
[2]          26.7670        10.6570
[3]*        179.6880         2.5000        1.77250          49.47
[4]*         49.9120             d4
[5]*        200.0000         2.5000        1.49710          81.56
[6]*         16.8640         8.2330
[7]*       -124.2380         1.4000        1.49710          81.56
[8]          30.9670         4.9300        1.51742          52.15
[9]        -456.6360        12.0880
[10]       (固定絞り)            d10
[11]       (開口絞り)         1.4630
[12]          27.1280         6.0000        1.74077          27.76
[13]         -31.1270         1.6090
[14]         -17.7070         0.8000        1.91082          35.25
[15]          39.3400         1.7280
[16]          29.6480         4.1820        1.67270          32.17
[17]         -24.4910         0.1500
[18]        -812.1810         2.9600        1.43700          95.10
[19]         -24.8070         0.1500
[20]          52.2750         5.4700        1.43700          95.10
[21]         -14.0260         0.9000        1.90366          31.32
[22]          20.2430         7.0130        1.43700          95.10
[23]         -28.9210         0.6865
[24]*        -43.8420         5.2600        1.49710          81.56
[25]*        -15.4440             Bf
［全体緒元］
INF          1：40
f             12.45          12.37
Fno             2.90           2.90
2ω           122.60         122.25
［撮影距離の変化における可変間隔］
d0               INF       470.1864
d4           11.3500        10.8001
d10          12.0880        12.6379
Bf           38.3999        38.3999
［非球面データ］
3面            4面            5面            6面
K             0.0000         3.5900         0.0000        -3.0200
A4         3.6894E-05     2.4179E-05     5.2479E-05     1.3900E-04
A6        -7.7133E-08    -5.9447E-08    -1.1743E-07    -2.7847E-07
A8         7.1778E-11     2.0641E-11     2.8776E-10     5.7041E-10
A10        5.6610E-15     9.1165E-14    -2.8743E-13    -1.0603E-12
A12       -2.1401E-17     0.0000E+00     0.0000E+00     0.0000E+00
7面           24面           25面
K             0.0000         0.0000        -4.0600
A4        -4.2980E-06     9.0976E-06    -1.0289E-04
A6         2.2144E-09    -2.0587E-08     5.2112E-07
A8         5.7572E-11     9.6134E-10    -2.5353E-09
A10       -2.1580E-14    -2.0424E-12     9.2929E-12
A12        0.0000E+00     2.2367E-15    -9.0737E-15
【０１７４】
数値実施例2
単位：mm
［レンズ緒元］
r              d             nd             Vd
[0]                              d0
[1]          40.3820         2.0000        2.00100          29.13
[2]          27.0060         8.6010
[3]*        200.0000         2.5000        1.77250          49.47
[4]*         81.5750             d4
[5]*         33.5520         2.5000        1.77250          49.47
[6]*         12.2720        10.9930
[7]        -211.3710         1.5000        1.49710          81.56
[8]*         39.1550         1.0920
[9]          47.8000         3.9780        2.00100          29.13
[10]        -510.3340            d10
[11]          28.7390         6.0000        1.62004          36.30
[12]          67.4550         2.8820
[13]       (開口絞り)         1.9510
[14]         216.1010        10.0000        1.43700          95.10
[15]         -17.5500         0.8000        1.88300          40.81
[16]         -66.1840         0.8710
[17]        -113.5990         2.2240        1.84666          23.78
[18]         -24.0270         0.8000        1.77250          49.62
[19]         -76.7490         0.4400
[20]         190.4810         8.9600        1.43700          95.10
[21]         -15.7740         0.8500        1.91082          35.25
[22]         -28.7100         0.1500
[23]          54.5970         7.0490        1.43700          95.10
[24]         -27.0250            d24
[25]        -384.2960         0.9000        1.91082          35.25
[26]          36.6210         3.8030        1.43700          95.10
[27]         178.0690         0.8540
[28]*        200.0060         5.4010        1.49710          81.56
[29]*        -29.0810             Bf
［全体緒元］
f             12.45          14.99          17.40
Fno             2.92           3.43           4.13
2ω           122.60         112.29         102.94
［撮影距離の変化における可変間隔］
f             12.45          14.99          17.40
d0                ∞             ∞             ∞
d4           11.3500        11.3500        11.3500
d10          18.8660         8.4250         1.3500
d24           0.9000         2.0530         3.2780
Bf           38.2991        41.7941        45.0101
［40倍相当撮影時の変倍における可変間隔］
f             12.39          14.90          17.28
d0          468.4857       570.2787       665.9127
d4           10.3521        10.5232        10.6378
d10          19.8639         9.2518         2.0622
d24           0.9000         2.0530         3.2780
Bf           38.2991        41.7941        45.0101
［非球面データ］
3面            4面            5面            6面
K             0.0000       -55.3470         1.3560        -2.9600
A4         5.7558E-05     7.0688E-05     2.2916E-05     1.9270E-04
A6        -1.0037E-07    -7.9874E-08    -2.4746E-07    -1.3351E-06
A8         1.0299E-10     3.0074E-11     7.1525E-10     4.4625E-09
A10       -7.9609E-14     3.7319E-14    -6.7109E-13    -4.5616E-12
A12        3.0654E-17     0.0000E+00     0.0000E+00     0.0000E+00
8面           28面           29面
K             0.0000         0.0000       -18.5620
A4        -1.3136E-05     8.1164E-06    -6.0646E-05
A6         1.0909E-07     9.4667E-09     6.2599E-07
A8        -6.1523E-10    -7.9412E-10    -4.0912E-09
A10        8.3173E-13     5.8247E-12     1.5955E-11
A12        0.0000E+00    -1.2521E-14    -2.4646E-14
【０１７５】
数値実施例3
単位：mm
［レンズ緒元］
r              d             nd             Vd
[0]                              d0
[1]          40.4790         2.0000        2.00100          29.13
[2]          27.1070         9.5210
[3]*         46.8160         2.6000        1.77250          49.47
[4]*         29.2030             d4
[5]*        183.9070         2.5000        1.77250          49.47
[6]*         22.5640        10.3700
[7]         -54.3830         1.5000        1.49710          81.56
[8]*         36.4880         1.7830
[9]          62.6430         3.6680        2.00100          29.13
[10]        -138.8920            d10
[11]          34.1970         3.0000        1.77250          49.62
[12]         127.6050         6.1860
[13]       (開口絞り)         4.1050
[14]          35.0010         5.0000        1.71736          29.50
[15]         -13.9070         0.8000        1.83481          42.72
[16]          13.3930         4.1220        1.43700          95.10
[17]           0.0000         1.1980
[18]          80.3000         5.4130        1.43700          95.10
[19]         -17.6140         0.8500        2.00100          29.13
[20]         -28.2520         0.1500
[21]         216.7460         8.1470        1.43700          95.10
[22]         -17.1990            d22
[23]           0.0000         0.9000        1.91082          35.25
[24]          42.8320         5.1680        1.43700          95.10
[25]         -88.7600         2.1270
[26]*        -44.2650         3.6220        1.49710          81.56
[27]*        -25.8130             Bf
［全体緒元］
f             12.45          14.99          17.40
Fno             2.92           3.44           4.13
2ω           122.60         112.29         102.94
［撮影距離の変化における可変間隔］
f             12.45          14.99          17.40
d0                ∞             ∞             ∞
d4           11.3500        11.3500        11.3500
d10          16.5340         7.4510         1.3500
d22           1.1980         3.6480         6.6110
Bf           38.3011        41.1931        43.3415
［40倍相当撮影時の変倍における可変間隔］
f             12.40          14.91          17.30
d0          469.8869       571.6279       667.6175
d4           10.5618        10.6966        10.7873
d10          17.3222         8.1044         1.9127
d22           1.1980         3.6480         6.6110
Bf           38.3011        41.1931        43.3415
［非球面データ］
3面            4面            5面            6面
K          -150.0000       -38.0000         0.0000        -1.4500
A4         5.4107E-05     7.0071E-05     8.5667E-05     1.3010E-04
A6        -9.7044E-08    -1.2509E-07    -3.3471E-07    -4.5394E-07
A8         3.3583E-11     3.7363E-11     7.8212E-10     1.2016E-10
A10        8.5034E-14     1.2950E-13    -5.4892E-13     4.1062E-12
A12       -6.5244E-17     0.0000E+00     0.0000E+00     0.0000E+00
8面           26面           27面
K             0.0000         0.0000       -12.2100
A4        -1.3276E-05    -7.7681E-06    -7.1377E-05
A6         1.0713E-07    -3.5339E-08     4.6495E-07
A8        -6.4910E-10    -5.8645E-10    -3.0346E-09
A10        8.0916E-13     9.2707E-12     1.4577E-11
A12        0.0000E+00    -2.0900E-14    -2.2646E-14
【０１７６】
数値実施例4
単位：mm
［レンズ緒元］
r              d             nd             Vd
[0]                              d0
[1]          39.9880         2.0000        2.00100          29.13
[2]          27.3020         9.6820
[3]*         38.3640         2.6000        1.77250          49.47
[4]*         24.0360             d4
[5]*        200.0010         2.5000        1.77250          49.47
[6]*         25.6710        10.1290
[7]         -67.0800         1.5000        1.49710          81.56
[8]*         33.1300         2.1460
[9]          77.7360         3.4770        2.00100          29.13
[10]        -122.1130            d10
[11]          75.3160         1.7980        1.77250          49.62
[12]        -137.8290         6.6390
[13]       (開口絞り)         3.5360
[14]         258.4270         9.0000        1.62004          36.30
[15]         -13.2270         0.8000        1.88300          40.81
[16]          14.9660         5.1000        1.69895          30.05
[17]         -49.5710         0.3720
[18]          36.5870         0.8500        1.84666          23.78
[19]          22.8880         5.8550        1.43700          95.10
[20]         -44.8250         0.1500
[21]         100.0420         7.9010        1.43700          95.10
[22]         -18.8140            d22
[23]         145.3430         0.9000        2.00100          29.13
[24]          29.1930         3.8640        1.43700          95.10
[25]          93.8490         3.3400
[26]*       -133.7190         3.7660        1.49710          81.56
[27]*        -35.9780             Bf
［全体緒元］
f             12.45          14.98          17.40
Fno             2.92           3.44           4.12
2ω           122.72         111.77         102.17
［撮影距離の変化における可変間隔］
f             12.45          14.98          17.40
d0                ∞             ∞             ∞
d4           11.3500        11.3500        11.3500
d10          17.4360         7.9220         1.3500
d22           0.9500         1.9500         3.0650
Bf           38.2111        41.7478        44.8335
［40倍相当撮影時の変倍における可変間隔］
f             12.40          14.90          17.29
d0          469.1479       571.1252       666.4965
d4           10.5381        10.6774        10.7704
d10          18.2479         8.5946         1.9296
d22           0.9500         1.9500         3.0650
Bf           38.2111        41.7478        44.8335
［非球面データ］
3面            4面            5面            6面
K           -54.4700       -15.8800         0.0000        -0.6900
A4         4.4134E-05     5.0559E-05     1.0400E-04     1.5400E-04
A6        -1.0030E-07    -8.8162E-08    -4.1643E-07    -5.5900E-07
A8         1.0361E-10     3.5078E-11     9.4671E-10     2.8024E-10
A10       -1.9037E-14     1.1550E-13    -7.0290E-13     3.8500E-12
A12       -1.9337E-17     0.0000E+00     0.0000E+00     0.0000E+00
8面           26面           27面
K             0.0000         0.0000       -15.1400
A4        -1.7840E-05    -2.4129E-05    -4.0269E-05
A6         8.1495E-08    -2.4930E-08     1.5640E-07
A8        -5.2696E-10    -2.0373E-09    -2.0853E-09
A10        5.4698E-13     9.0634E-12     7.4189E-12
A12        0.0000E+00     4.6968E-15     2.5153E-15
【０１７７】
数値実施例5
単位：mm
［レンズ緒元］
r              d             nd             Vd
[0]                              d0
[1]          41.3580         2.0000        2.00100          29.13
[2]          26.7920         8.5510
[3]*         37.1660         2.6000        1.77250          49.47
[4]*         26.3370             d4
[5]*        171.4850         2.5000        1.77250          49.47
[6]*         21.7880        11.0820
[7]         -53.0110         1.5000        1.49710          81.56
[8]*         40.5520         1.7410
[9]          74.3360         3.6720        2.00100          29.13
[10]        -116.5720            d10
[11]          44.9780         1.8120        1.77250          49.62
[12]         338.7650         7.3650
[13]       (開口絞り)         5.3590
[14]          34.0840         4.4210        1.72825          28.32
[15]         -14.3010         0.8000        1.83481          42.72
[16]          13.4570         4.3720        1.43700          95.00
[17]           0.0000         0.8760
[18]          66.0730         5.6830        1.43700          95.00
[19]         -17.4840         0.8500        2.00100          29.13
[20]         -26.6110         0.1500
[21]         184.6970         8.1130        1.43700          95.00
[22]         -17.4500            d22
[23]           0.0000         0.9000        1.91082          35.25
[24]          33.7970         8.0790        1.43700          95.00
[25]         -94.2300         2.1140
[26]*        -46.1720         3.4850        1.49710          81.56
[27]*        -27.3410             Bf
［全体緒元］
f             12.45          15.02          17.40
Fno             2.92           3.44           4.11
2ω           122.63         111.49         101.80
［撮影距離の変化における可変間隔］
f             12.45          14.98          17.40
d0                ∞             ∞             ∞
d4           11.3500        11.3500        11.3500
d10          17.5760         7.8280         1.3500
d22           0.9500         2.6730         4.6540
Bf           38.2369        41.5369        44.1022
［40倍相当撮影時の変倍における可変間隔］
f             12.41          14.94          17.30
d0          470.8464       573.5871       668.5188
d4           10.5743        10.7079        10.7961
d10          18.3517         8.4701         1.9039
d22           0.9500         2.6730         4.6540
Bf           38.2369        41.5369        44.1022
［非球面データ］
3面            4面            5面            6面
K          -100.0000       -38.0000         0.0000        -1.1800
A4         6.0360E-05     7.6535E-05     8.9050E-05     1.3330E-04
A6        -1.0333E-07    -1.4281E-07    -3.3887E-07    -4.2697E-07
A8         2.1217E-11     6.8774E-11     7.3118E-10    -2.8704E-10
A10        1.0898E-13     9.0769E-14    -4.4742E-13     4.9666E-12
A12       -7.7375E-17     0.0000E+00     0.0000E+00     0.0000E+00
8面           26面           27面
K             0.0000         0.0000       -13.4800
A4        -1.2956E-05    -6.7127E-06    -6.5856E-05
A6         8.8076E-08    -2.0182E-08     4.5173E-07
A8        -5.0887E-10    -7.4453E-10    -3.0455E-09
A10        5.6142E-13     9.5596E-12     1.4724E-11
A12        0.0000E+00    -2.1714E-14    -2.3763E-14
【０１７８】
[条件式対応値]
条件式          実施例1   実施例2   実施例3   実施例4   実施例5
(1)    3.4＜|f1A/fw|＜6.0        3.45      4.60      3.68      3.47      3.82
(2)    0.5＜|f1B/f1A|＜3.0       0.79      0.70      0.84      0.94      0.79
(3)      2.0＜f2/fw＜5.0         2.56      3.04      3.08      2.99      3.15
(4)    1.0＜f2asp/f2＜5.0        1.42      1.36      3.05      2.63      3.24
(5)     2.0＜f2A/fw＜5.0                   2.89      2.92      2.47      2.75
(6)      10.0＜|f2B/fw|                   21.39     24.10     14.75  16064.64
(7)   2.5＜|f2AF/f1|＜ 5.0                 3.69      3.29      3.49      3.70
(8)    2.0＜|f2AR/fw|＜5.0                 3.13      3.38      2.48      2.93
(9)  -15.0＜f2BJoin/fw＜-2.0              -4.49    -13.52     -4.68     -8.91
(10)        Nd2BN＞1.8                      1.91      1.91      2.00      1.91
(11)         Vd2BP＞80                     95.10     95.10     95.10     95.10
【符号の説明】
【０１７９】
Ｇ１            第１レンズ群
Ｇ１Ａ          第１Ａレンズ群
Ｇ１Ｂ          第１Ｂレンズ群
Ｇ２            第２レンズ群
Ｇ２Ａ          第２Ａレンズ群
Ｇ２ＡＦ        第２Ａレンズ群前群
Ｇ２ＡＲ        第２Ａレンズ群後群
Ｇ２Ｂ          第２Ｂレンズ群
Ｌ２ＢＪｏｉｎ  第２Ｂレンズ群内の接合負レンズユニット
Ｌ２ａｓｐ      第２レンズ群内の少なくとも１面に非球面を有する正の単レンズ
【図１】
0005806020.tif 000003
【図２】
0005806020.tif 000004
【図３】
0005806020.tif 000005
【図４】
0005806020.tif 000006
【図５】
0005806020.tif 000007
【図６】
0005806020.tif 000008
【図７】
0005806020.tif 000009
【図８】
0005806020.tif 000010
【図９】
0005806020.tif 000011
【図１０】
0005806020.tif 000012
【図１１】
0005806020.tif 000013
【図１２】
0005806020.tif 000014
【図１３】
0005806020.tif 000015
【図１４】
0005806020.tif 000016
【図１５】
0005806020.tif 000017
【図１６】
0005806020.tif 000018
【図１７】
0005806020.tif 000019
【図１８】
0005806020.tif 000020
【図１９】
0005806020.tif 000021
【図２０】
0005806020.tif 000022
【図２１】
0005806020.tif 000023
【図２２】
0005806020.tif 000024
【図２３】
0005806020.tif 000025
【図２４】
0005806020.tif 000026
【図２５】
0005806020.tif 000027
【図２６】
0005806020.tif 000028
【図２７】
0005806020.tif 000029
【図２８】
0005806020.tif 000030
【図２９】
0005806020.tif 000031
【図３０】
0005806020.tif 000032
【図３１】
0005806020.tif 000033
【図３２】
0005806020.tif 000034
【図３３】
0005806020.tif 000035
【図３４】
0005806020.tif 000036
【図３５】
0005806020.tif 000037
【図３６】
0005806020.tif 000038
【図３７】
0005806020.tif 000039
【図３８】
0005806020.tif 000040
【図３９】
0005806020.tif 000041
【図４０】
0005806020.tif 000042
【図４１】
0005806020.tif 000043
【図４２】
0005806020.tif 000044
【図４３】
0005806020.tif 000045
【図４４】
0005806020.tif 000046
【図４５】
0005806020.tif 000047
【図４６】
0005806020.tif 000048
【図４７】
0005806020.tif 000049
【図４８】
0005806020.tif 000050
【図４９】
0005806020.tif 000051
【図５０】
0005806020.tif 000052
【図５１】
0005806020.tif 000053
【図５２】
0005806020.tif 000054
【図５３】
0005806020.tif 000055
【図５４】
0005806020.tif 000056
【図５５】
0005806020.tif 000057
【図５６】
0005806020.tif 000058
【図５７】
0005806020.tif 000059